(57)【要約】【課題】熱負荷を軽減できる光学情報記録媒体を提供する。【解決手段】光学情報記録媒体１０は、ピットが形成された基板１１と、温度上昇に伴って光学特性が変化する超解像層１２とを有する。光学情報記録媒体の再生には、波長λ、対物レンズの開口数ＮＡの光ヘッドを用いる。基板１１の屈折率をｎ、ピットの深さをＤとすると、λ／（１０ｎ）＜Ｄ＜λ／（６ｎ）を満たす。また、ピットのうち最短のピットの長さをＬとすると、λ／（８ＮＡ）＜Ｌ＜λ／（４ＮＡ）を満たしている。【選択図】図１
2009037698.tif 000002
【特許請求の範囲】
【請求項１】
波長λ、対物レンズの開口数ＮＡの光ヘッドを用いて情報の再生を行う光学情報記録媒体であって、
ピットが形成された支持基板と、温度上昇に伴って光学特性が変化する超解像層とを少なくとも有し、
前記支持基板の屈折率をｎ、前記ピットの深さをＤ、前記ピットのうち最短のピットの長さをＬとして、Ｌ及びＤが、それぞれλ／（８ＮＡ）＜Ｌ＜λ／（４ＮＡ）、及び、λ／（１０ｎ）＜Ｄ＜λ／（６ｎ）を満たすことを特徴とする光学情報記録媒体。
【請求項２】
前記超解像層として相変化膜を有し、該超解像層が溶融状態にあるときの前記光学情報記録媒体にレーザ光を照射して得られる反射光の位相をφ１、前記超解像層が結晶状態にあるときの前記光学情報記録媒体にレーザ光を照射して得られる反射光の位相をφ２とし、０＜φ１−φ２＜３０度を満たすことを特徴とする、請求項１に記載の光学情報記録媒体。
【請求項３】
波長λ、対物レンズの開口数ＮＡの光ヘッドを用いて情報の再生を行う光学情報記録媒体であって、
アドレス情報及びデータ情報を表現するピットが形成された支持基板と、温度上昇に伴って光学特性が変化する超解像層とを有し、
前記ピットのうちで最短のピットの長さをＬ、データ情報に対応するアドレス情報を表現しているピット列のうちで最短のピット長をＬ１として、Ｌ及びＬ１がそれぞれ、λ／（８ＮＡ）＜Ｌ＜λ／（４ＮＡ）、Ｌ１＞λ／（４ＮＡ）を満たすことを特徴とする光学情報記録媒体。
【請求項４】
波長λ、対物レンズの開口数ＮＡの光ヘッドを用いて情報の再生を行う光学情報記録媒体であって、
アドレス情報及びデータ情報を表現するピットが形成された支持基板と、温度上昇と共に光学特性が変化する超解像層とを少なくとも有し、
前記支持基板の屈折率をｎ、前記ピットの深さをＤとすると、λ／（１０ｎ）＜Ｄ＜λ／（６ｎ）を満たし、
前記データ情報に対応するアドレス情報をピットの蛇行により表現したことを特徴とする光学情報記録媒体。
【請求項５】
請求項３又は４に記載の光学情報記録媒体の再生方法であって、
前記データ情報の再生時と、該データ情報に対応するアドレス情報の再生時とで、再生に用いるレーザパワが異なることを特徴とする光学情報再生方法。
【発明の詳細な説明】
【技術分野】
【０００１】
本発明は、光学情報記録媒体及び光学情報再生方法に関し、更に詳しくは、レーザ光照射により情報の再生を行う光学情報記録媒体及び光学情報再生方法に関する。
【背景技術】
【０００２】
レーザ光照射により情報の再生を行う光学情報記録媒体の一例として、光ディスクが知られている。光ディスクは、その機能によって、記録された情報の再生のみを行う再生専用型（ＲＯＭ）と、１回だけ記録が可能な追記型と、データの書換えが可能な書換え型とに区分される。これらのうち、ＲＯＭは、射出成型という技術を用いることで、廉価に、かつ、高速に複製ができることから、画像或いはパッケージソフト等の配布媒体として広く普及している。また、ＲＯＭの普及に牽引される形で、追記型及び書換え型の市場も拡大している。今後、画像の高品質化が更に進展することを考慮すると、光ディスクには更なる大容量化が望まれる。
【０００３】
光ディスクの記録容量は、基本的には、情報の再生に用いられるレーザ光のビーム径に依存する。ビーム径が小さいほど、より高密度な情報を、誤りなく再生することができる。ＲＯＭの場合は、一般にピットと呼ばれる基板に形成された幾何学的な凹凸が情報を表しており、記録容量を増加させるためには、より微小なピットを形成する必要がある。この微小なピットからの情報を正確に読み取るためには、基本的には、レーザ光のビーム径を小さくすることが、最も有効な手段である。
【０００４】
ところで、レーザーダイオードから発生する光は、対物レンズを通じて収束しても、回折の影響により、一点としては収束されずに、有限幅を有するビームとして形成される。一般に、これを回折限界と呼んでおり、レーザ光の波長をλ、対物レンズの開口数をＮＡ（Ｎｕｍｅｒｉｃａｌ  Ａｐｅｒｔｕｒｅ）としたとき、λ／（４・ＮＡ）が再生分解能の限界となる。例えば、λ＝４０５ｎｍ、ＮＡ＝０．６５の場合には、再生分解能の限界は、１５６ｎｍであり、これ以下の長さのピットを正確に読みとることはできない。
【０００５】
上記の場合で、１５６ｎｍ以下の長さのピットを正確に読みとるには、レーザ光の波長を４０５ｎｍより短くするか、或いは、対物レンズのＮＡを０．６５より大きくする必要がある。しかし、現在のレーザ技術では、短波長のレーザを提供するのには限界があり、また、開口数の大きな対物レンズの製造にはコストが掛かり、限界がある。更に、対物レンズの開口数を大きくするほど、ピックアップとディスクとの間の距離が短くなるため、光ヘッドとディスクとの衝突の危険性が増す。光ヘッドとディスクとが衝突すると、ディスク表面が損傷することで、データ損失のおそれが大きくなる。
【０００６】
ここで、光ディスクの回折限界を超える技術として、媒体超解像技術が知られている。媒体超解像においては、温度により光学特性或いは磁気特性等の特性が非線形に変化する膜が用いられる。以下、例として、特許文献１に記載されるような、一定温度以上になると透過率が減少する膜を用いた場合について説明する。ディスク上に集光されたレーザ光の強度は一定ではなく、ガウス分布に近い強度分布を持つので、レーザ光が照射された膜内には温度分布が生じる。従って、有限の大きさのレーザビーム内に、温度上昇に応じて、透過率が高い領域と透過率が低い領域とが混在することになる。
【０００７】
上記の場合、透過率が高い領域でのみディスク上に形成された情報を再生することが可能であるので、情報の再生に用いるレーザ光のビーム径を見かけ上小さくできる。これにより、回折限界以下の微少なピットからの情報を再生することが可能である。非線形に光学特性が変化する膜として、相変化膜が知られている。相変化膜は結晶状態、溶融状態、非晶質状態でそれぞれ異なる光学特性を示すので、例えば、結晶状態と溶融状態の可逆変化を利用することで超解像を実現することができる。結晶状態と溶融状態では光学特性が大きく変化するので、高Ｓ／Ｎ（Signal Noise Ratio）で回折限界以下のピットを再生することが可能となる。
【特許文献１】特開平７−３２０３０１号公報
【発明の開示】
【発明が解決しようとする課題】
【０００８】
温度上昇による光学特性の変化を利用した媒体超解像では、温度分布によって開口の形状が決まり、開口の形状に依存して再生波形が変化することになる。ピットが形成されたＲＯＭ基板に超解像膜を付加した場合、ピットが存在する領域と、ピットが存在しない領域とでは、熱の拡散（広がり方）が異なるため、温度分布が変化、すなわち、開口形状が変化する。ピットが存在する領域とピットが存在しない領域とで開口形状が変化するということは、異なる形状のビームで再生を行うということと等価であり、波形歪み（非線形性）が大きくなるという問題がある。
【０００９】
図６に、光ディスク上に記録されたピットとレーザスポットとを模式的に示す。ピットが存在しない領域では、開口形状はほぼ円形となる。これに対し、ピットが存在する領域では、ピットの影響を受けて、開口形状が楕円になる。光ディスク上に形成されたピットには、ビーム径と同等以下の短いピットから、ビーム径よりも大きな長いピットまで複数の長さのピットがあり、ピットの長さによっても温度分布が変化するため、複数種類のビーム径（開口形状）により再生が行われることになる。その結果、再生波形の歪み（非線形性）が大きくなり、正しくデータを再生することが難しくなる。信号処理回路を付加し、信号処理回路にて非線形を取り除くことで対処する方式も考えられるが、一般的に、非線形処理を行う回路の規模は大きく、コスト増を招く。また、装置に実装し、安定に動作させるのは困難である。
【００１０】
ところで、通常のＲＯＭでは溝深さがλ／（４ｎ）近傍に設定されているため、プッシュプル信号が非常に小さく、プッシュプル信号を用いたトラッキングは困難である。一方、再生信号からピットのエッジが明確に判別できるほど、短いピットからの再生信号振幅が十分に大きくなければＤＰＤ信号を得ることはできない。光学的カットオフより短いピットを有している光学情報記録媒体では、超解像が起きない低い再生パワでは短いピットからの再生信号はほとんど得られないため、ＤＰＤによるトラッキングも困難である。従って、λ／（４ｎ）の溝深さのピットを有する基板に超解像層を付加した光学情報記録媒体では、再生パワを高くして短いピットからの信号振幅を確保し、ＤＰＤによりトラッキングをかける必要があった。しかしながら、この場合、所定のトラックに移動しデータを再生する以前にレーザパワを高くする必要があり、媒体への熱負荷が高くなる。これにより、繰り返し再生可能回数が制限されるという問題が生じることとなる。
【００１１】
本発明は、超解像層を有する光学情報記録媒体にて、媒体への熱負荷を低減できる光学情報記録媒体及び光学情報再生方法を提供することを目的とする。
【課題を解決するための手段】
【００１２】
上記目的を達成するために、本発明の光学情報記録媒体は、波長λ、対物レンズの開口数ＮＡの光ヘッドを用いて情報の再生を行う光学情報記録媒体であって、ピットが形成された支持基板と、温度上昇に伴って光学特性が変化する超解像層とを少なくとも有し、前記支持基板の屈折率をｎ、前記ピットの深さをＤ、前記ピットのうち最短のピットの長さをＬとして、Ｌ及びＤが、それぞれλ／（８ＮＡ）＜Ｌ＜λ／（４ＮＡ）、及び、λ／（１０ｎ）＜Ｄ＜λ／（６ｎ）を満たすことを特徴とする。
【００１３】
本発明の光学情報記録媒体は、波長λ、対物レンズの開口数ＮＡの光ヘッドを用いて情報の再生を行う光学情報記録媒体であって、アドレス情報及びデータ情報を表現するピットが形成された支持基板と、温度上昇に伴って光学特性が変化する超解像層とを有し、前記ピットのうちで最短のピットの長さをＬ、データ情報に対応するアドレス情報を表現しているピット列のうちで最短のピット長をＬ１として、Ｌ及びＬ１がそれぞれ、λ／（８ＮＡ）＜Ｌ＜λ／（４ＮＡ）、Ｌ１＞λ／（４ＮＡ）を満たすことを特徴とする。
【００１４】
本発明の光学情報記録媒体は、波長λ、対物レンズの開口数ＮＡの光ヘッドを用いて情報の再生を行う光学情報記録媒体であって、アドレス情報及びデータ情報を表現するピットが形成された支持基板と、温度上昇と共に光学特性が変化する超解像層とを少なくとも有し、前記支持基板の屈折率をｎ、前記ピットの深さをＤとすると、λ／（１０ｎ）＜Ｄ＜λ／（６ｎ）を満たし、前記データ情報に対応するアドレス情報をピットの蛇行により表現したことを特徴とする。
【００１５】
本発明の光学情報再生方法は、上記本発明の光学情報記録媒体の再生方法であって、前記データ情報の再生時と、該データ情報に対応するアドレス情報の再生時とで、再生に用いるレーザパワが異なることを特徴とする。
【発明の効果】
【００１６】
本発明の光学情報記録媒体及び光学情報再生方法では、再生時に光学情報記録媒体にかかる熱負荷を軽減できる。
【発明を実施するための最良の形態】
【００１７】
本発明の実施の形態の説明に先立って、本発明者らが検討した結果について説明する。一般的なＲＯＭのピット深さは、情報の再生に用いるレーザ光の波長をλ、基板の屈折率をｎとして、信号振幅が最大となるように、通常λ／（４ｎ）近傍に設定されている。しかしながら、この深さのピットを用いた場合には、ピットの有無による開口形状の変化が大きく、低い誤り率で情報の再生を行うことが困難である。本発明者らは、ピットの有無による開口形状の変化を抑制するにはピットの深さを浅くすることが効果的であることを見いだした。これは、ピットを浅くすることで熱の拡散がピットの無い領域における熱の拡散に近くなるからと考えられる。
【００１８】
ピット深さをλ／（４ｎ）よりも浅くするほど、開口形状の変化は少なくなる。しかしながら、浅くしすぎると、信号振幅が小さくなり、Ｓ／Ｎ比（Ｓｉｇｎａｌ  Ｎｏｉｓｅ  Ｒａｔｉｏ）が低下する。本発明者らは、溝深さを変えた光学情報媒体を試作し、実験により、良好な再生特性が得られる溝深さの範囲を求めた。その結果、ピット深さを、λ／（１０ｎ）より深く、λ／（６ｎ）よりも浅くすることで、再生波形の歪みを低減し、誤り率を改善できることが確かめられた。
【００１９】
ここで、ピットの有無による開口形状の変化は、回折限界以下の高密度なピットに対して温度上昇による非線形な光学特性を利用した超解像再生の場合に顕著である。具体的には、基板に形成された最短のピット長Ｌがλ／（８ＮＡ）＜Ｌ＜λ／（４ＮＡ）の範囲に相当する場合である。この範囲より長いピットであれば超解像を利用せず再生することが可能であり、また、この範囲より短いピットの場合には、超解像を利用しても低い誤り率で再生を行うことが困難である。
【００２０】
以下、図面を参照しつつ、本発明の実施の形態を詳細に説明する。図１に、本発明の第１実施形態の光学情報記録媒体を示す。光学情報記録媒体１０は、情報を担うピット列が形成される基板１１上に、スパッタリング法などによって超解像層１２を形成し、紫外線硬化樹脂などからなる接着層１３を介して、ダミー基板１４と貼り合わせた構成となっている。必要に応じて、超解像層１２の上下に、保護層や反射層を付加することができる。
【００２１】
基板１１に形成されるピット列の溝深さをＤとすれば、Ｄは、λ／（１０ｎ）＜Ｄ＜λ／（６ｎ）の関係を満たしている。また、基板１１に形成された最短のピット長をＬとして、λ／（８ＮＡ）＜Ｌ＜λ／（４ＮＡ）を満たしている。ピット列の溝深さＤ、及び、最短のピット長Ｌを、このような範囲に設定することで、超解像再生にて再生信号の非線形性を抑えることができ、良好な再生特性を得ることができる。本実施形態では、回折限界以下の微少なピットからの情報を正確に読みとることができるので、記録容量を大幅に向上させることが可能となる。
【００２２】
図２に、本発明に係る光学情報再生装置の構成を例示する。光ヘッド２１は、光学情報記録媒体１０にレーザ光を照射する。光学情報記録媒体１０に照射されるレーザ光の強度は、レーザ駆動回路２２により制御される。データ再生は、再生回路２４にて行う。再生パワは、通常低いパワ（例えば０．５ｍＷ程度）に設定されており、データ情報の再生を行う場合には、アドレス情報検出回路２５でアドレス情報を通常のパワで検出した後、コントローラ２３からレーザ駆動回路２２に再生パワ制御情報が送られ、超解像再生を起こす高いパワ（例えば４ｍＷ程度）での再生が始まる。
【００２３】
レーザ光の集光位置は、図示しないサーボ回路により制御される。ディスクの厚さ方向に対するレーザ光の制御は、通常フォーカスサーボと呼ばれ、ナイフエッジ法や非点収差法などによりサーボをかけるためのエラー信号が生成される。ディスクの半径方向に対するレーザ光の制御、すなわち、ディスク回転時にピット列や案内溝に沿ってレーザ光を追従させる制御は、通常トラッキングサーボと呼ばれ、ＤＰＤ法、プッシュプル法などによりサーボをかけるためのエラー信号が生成される。
【００２４】
一般に、プッシュプル信号は、溝深さが浅いほど大きく、λ／（８ｎ）程度で最大となる。本実施形態における光学情報記録媒体は、溝深さが通常のＲＯＭ媒体の溝深さよりも浅く設定されているため、プッシュプル信号は、通常のＲＯＭ媒体で得られるプッシュプル信号よりも大きい。このため、本実施形態の光学情報記録媒体では、再生パワを高くすることなく、プッシュプルによるトラッキングが可能である。その結果、媒体への熱負荷を軽減することができる。
【００２５】
ところで、本実施形態では、非線形性を低減するためにピット深さを浅くしており、ピット深さが深い場合に比して、信号振幅そのものは減少する傾向にある。しかしながら、超解像媒体の光学特性を工夫することで、信号振幅を大きくすることが可能である。具体的には、ピットが形成された基板上に、保護層、相変化層、保護層、反射層が順次に積層された超解像媒体であれば、レーザ光の中心付近で溶融している領域からの反射光の位相をφ１、その周辺部で溶融せず結晶状態のままでいる領域からの位相をφ２として、φ１−φ２＞０を満たすように保護層の膜厚を選択することで、信号振幅を増大させることができる。これは、ピットからの反射光とピット周辺の平坦部からの反射光との位相差による干渉を利用して、ピット再生時の反射光量をより低減できるからである。
【００２６】
続いて、本発明の第２実施形態の光学情報記録媒体について説明する。媒体への熱負荷を更に低減するには、アドレス情報を熱負荷の小さな低いレーザパワ（通常ＲＯＭの再生に用いられる程度の再生パワ）で再生し、データ情報を超解像再生を実現する高いパワで再生すればよい。これは、光学情報再生装置の動作として、アクセス動作時等にデータの再生は行わずに、アドレス情報のみ再生している状態が存在するからである。ここで言うアドレス情報とは、データ情報に対応する物理アドレス情報（通常ＰＳＮ：Ｐｈｙｓｉｃａｌ  Ｓｅｃｔｏｒ  Ｎｕｍｂｅｒと呼ばれる）を意味している。
【００２７】
超解像再生無しにアドレス情報を再生可能とするには、
（１）アドレス情報を付与したピットの長さを十分に長くする
（２）ピットをトラック方向に蛇行させ差動信号によりアドレス情報を再生する
などの手段が有効である。図３に、アドレス情報を付与したピットの長さを十分に長くした光学情報記録媒体を示し、図４に、ピットをトラック方向に蛇行させた光学情報記録媒体を示す。
【００２８】
上記（１）の場合（図３）には、アドレス部の最短ピット長Ｌ１が回折限界より長ければ、すなわち、Ｌ１＞λ／（４ＮＡ）の関係を満たしていれば、低いレーザパワでアドレス情報を再生することができる。また、Ｌ１＞λ／（２ＮＡ）の関係を満足していれば十分に大きな再生信号振幅が確保できるのでより好適である。（２）の場合（図４）は、ピット深さＤを、第１実施形態で示した範囲、すなわち、λ／（１０ｎ）＜Ｄ＜λ／（６ｎ）とする。蛇行させたピットのピット長は、蛇行の周期と同等な長さとすればよい。
【００２９】
以下、実施例を説明する。はじめに、第１実施例を説明する。厚さ０．６ｍｍのポリカーボネート基板に最短１００ｎｍのピットが形成されたＲＯＭ用基板に超解像層を付加し、波長４０５ｎｍ、ＮＡ＝０．６５の光ヘッドを用いて、線速６．６ｍ／ｓ、再生パワ３ｍＷにて評価を行った。基板に形成されているピット列は、（１−７）変調で記録されており、最短ピットが１００ｎｍ、最長ピットが４００ｎｍであった。本実施例では、データ情報とアドレス情報とを構成する最短のピット長さは同一のままとした。超解像層としてはＧｅＳｂＴｅ相変化層を用い、その上下にＳｉＮからなる保護層、Ａｌ−Ｔｉ反射層を順にスパッタリングにより形成した。
【００３０】
ピットの深さが異なる複数のＲＯＭ基板を用いて上記超解像媒体を作成し、ＰＲＭＬを用いた情報再生時の誤り率の比較を行った。結果を図５に示す。ここでは、良好な再生が可能な誤り率を、誤り訂正を用いて装置が安定に動作するための条件である、誤り率１０−４以下とした。図５を参照すると、良好な誤り率が得られるピット深さの範囲は、２５〜４５ｎｍの範囲であり、この範囲で１０−４以下の良好な誤り率が実現できている。ピット深さが２０ｎｍの場合には、信号振幅が小さくなってＳ／Ｎが低下した結果、誤り率が劣化している。また、深さが５０ｎｍの場合には、信号振幅は大きくなるものの、開口形状の変化による波形歪みが大きくなり、誤り率が劣化する結果となった。基板の屈折率は１．６２であるので、上記ピット深さ範囲はおよそλ／（１０ｎ）＜Ｄ＜λ／（６ｎ）に相当する。
【００３１】
次に、第２実施例を説明する。厚さ０．６ｍｍのポリカーボネート基板に最短ピット長を変化させた複数のＲＯＭ用基板に超解像層を付加し、波長４０５ｎｍ、ＮＡ＝０．６５の光ヘッドを用いて、線速６．６ｍ／ｓ、再生パワ０．５ｍＷ及び３ｍＷにて評価を行った。基板に形成されているピット列は（１−７）変調で記録されており、最短ピットが７５〜１７０ｎｍ、最長ピットが３００〜６００ｎｍであり、ピット深さは３０ｎｍとした。本実施例では、データ情報とアドレス情報とを構成する最短のピット長さは同一のままとし、超解像媒体として第１実施例と同一構成の媒体を基板上に形成した。
【００３２】
各ピット長さと、超解像を用いた高い再生パワ（０．５ｍＷ）及び超解像を用いない低い再生パワ（０．３ｍＷ）での誤り率との関係を、下記表１に示す。表１から分かるように、ピット長さ７５ｎｍ、すなわち、約λ／（８ＮＡ）以上のピット長を有するピットにより表現された情報であれば、超解像を利用した再生方法により、１×１０−４以下の良好な誤り率で情報を再生することができる。一方、ピット長さが１７０ｎｍ、すなわち、約λ／（４ＮＡ）以上のピット長を有するピットにより表現された情報であれば、超解像を用いることなく通常の再生パワで、１×１０−４以下の良好な誤り率で情報を再生することができる。従って、ピットの有無による開口形状の変化による波形歪み抑制が有効となるのは、超解像再生が必要で、かつ、超解像を用いて安定に再生を行うことができるピット長の範囲、すなわち、最短のピット長がλ／（８ＮＡ）以上λ／（４ＮＡ）以下に該当する場合である。
【表１】
2009037698.tif 000003
【００３３】
第３実施例について説明する。厚さ０．６ｍｍのポリカーボネート基板に１００ｎｍのピットが形成されたＲＯＭ用基板に超解像層を付加し、波長４０５ｎｍ、ＮＡ＝０．６５の光ヘッドを用いて、線速６．６ｍ／ｓ、再生パワ３ｍＷにて評価を行った。基板に形成されているピット列は、長さ１００ｎｍのピットをｄｕｔｙ＝５０％で繰り返し配置したものとした。超解像層としては、ＧｅＳｂＴｅ相変化層を用い、その上下に、ＺｎＳ−ＳｉＯ２からなる保護層をそれぞれ７０ｎｍと１５ｎｍ、Ａｇ合金反射層５ｎｍ、位相差調整層としてＺｎＳ−ＳｉＯ２を５〜１５ｎｍを順次にスパッタリングにより形成した。ピットの深さは、本発明における最大のピット深さであるλ／（６ｎ）、すなわち、４２ｎｍとした。
【００３４】
位相差調整用に付加したＺｎＳ−ＳｉＯ２の膜厚と、相変化層が溶融状態にある場合の反射光の位相φ１と相変化層が結晶状態にある場合の反射光の位相φ２との差との関係を、下記表２に示す。ＺｎＳ−ＳｉＯ２の膜厚が８ｎｍまでは、プッシュプルによる安定なトラッキングが可能である。しかし、１０ｎｍ、１５ｎｍの場合には、再生パワを高くするにつれプッシュプル信号が小さくなり、安定にトラッキングサーボをかけることができなかった。また、５ｎｍ、８ｎｍの場合には、位相差調整用のＺｎＳ−ＳｉＯ２を付加しないディスクに比べて信号振幅が大きくなることが確認できた。従って、信号振幅を改善しつつ、プッシュプルによる安定なトラッキングサーボが可能となるのは、０＜φ１−φ２＜３０度の範囲である。
【表２】
2009037698.tif 000004
【００３５】
以上、本発明をその好適な実施例に基づいて説明したが、本発明の光学情報記録媒体及び光学情報再生方法は、上記実施例にのみ限定されるものではなく、上記実施例の構成から種々の修正及び変更を施したものも、本発明の範囲に含まれる。
【図面の簡単な説明】
【００３６】
【図１】本発明の第１実施形態の光学情報記録媒体を示す断面図。
【図２】光学情報再生装置の構成を示すブロック図。
【図３】データ情報とアドレス情報とを示す平面図。
【図４】データ情報とアドレス情報の別の例を示す平面図。
【図５】ピットの深さと誤り率との関係を示すグラフ。
【図６】ピットの有無によるレーザビームの開口変化を示す図。
【符号の説明】
【００３７】
１０：光学情報記録媒体
１１：基板
１２：超解像層
１３：接着層
１４：ダミー基板
２１：光ヘッド
２２：レーザ駆動回路
２３：コントローラ
２４：再生回路
２５：アドレス情報検出回路
【図１】
2009037698.tif 000005
【図２】
2009037698.tif 000006
【図３】
2009037698.tif 000007
【図４】
2009037698.tif 000008
【図５】
2009037698.tif 000009
【図６】
2009037698.tif 000010